(57)【特許請求の範囲】
【請求項１】
被検体に静磁場を印加する静磁場発生手段と、傾斜磁場を印加する傾斜磁場発生手段と、前記被検体内の原子核スピンに核磁気共鳴を誘起する高周波磁場パルスを照射する高周波磁場発生手段と、核磁気共鳴により放出されるエコー信号を検出するエコー信号受信手段と、前記エコー信号を用いて画像を再構成する演算を行う画像再構成手段と、前記エコー信号のデータが配置されるｋ空間を、その原点を通る計測軌跡を有するブロックであって前記ｋ空間の座標軸に対する前記計測軌跡の角度が互いに異なる複数のブロックに分割して計測するように、前記傾斜磁場発生手段、高周波磁場発生手段及びエコー信号受信手段を制御する計測制御手段と、各ブロックのデータを共通のｋ空間に再配置して合成する合成手段と、基準とするブロック（基準ブロック）と他のブロックとの計測の間に生じた前記被検体の体動量を検出して、前記体動が画像に及ぼす影響を除去するように、前記他のブロックのデータを体動補正する体動補正手段と、を備え、
前記体動補正手段は、
前記基準ブロックおよび前記他のブロックにおける低周波計測領域から第１のデータ配列を抽出して、フーリエ変換した後に位相差を求め、当該位相差の一次変化から前記体動量の回転移動成分を検出する回転移動成分検出手段と、
前記他のブロックのデータについて、前記回転移動成分検出手段で検出した回転移動成分を補正する回転移動成分補正手段と、
前記基準ブロックおよび前記他のブロックにおける低周波計測領域から第２のデータ配列を抽出して、前記体動量の平行移動成分を検出する平行移動成分検出手段と、
平行移動成分検出手段で検出した前記平行移動成分を補正する平行移動成分補正手段と、を備える磁気共鳴イメージング装置であって、
前記第１のデータ配列は、前記ｋ空間の原点を囲む所定の半径の円周上の少なくとも一部のデータであること
を特徴とする磁気共鳴イメージング装置。
【請求項２】
請求項１記載の磁気共鳴イメージング装置であって、
回転移動成分補正手段は、前記他のブロックのデータについて検出された回転移動成分と同量であって逆方向の回転移動を当該他のブロックのデータに加えることにより、前記回転移動成分を補正すること
を特徴とする磁気共鳴イメージング装置。
【請求項３】
被検体に静磁場を印加する静磁場発生手段と、傾斜磁場を印加する傾斜磁場発生手段と、前記被検体内の原子核スピンに核磁気共鳴を誘起する高周波磁場パルスを照射する高周波磁場発生手段と、核磁気共鳴により放出されるエコー信号を検出するエコー信号受信手段と、前記エコー信号を用いて画像を再構成する演算を行う画像再構成手段と、前記エコー信号のデータが配置されるｋ空間を、その原点を通る計測軌跡を有するブロックであって前記ｋ空間の座標軸に対する前記計測軌跡の角度が互いに異なる複数のブロックに分割して計測するように、前記傾斜磁場発生手段、高周波磁場発生手段及びエコー信号受信手段を制御する計測制御手段と、各ブロックのデータを共通のｋ空間に再配置して合成する合成手段と、基準とするブロック（基準ブロック）と他のブロックとの計測の間に生じた前記被検体の体動量を検出して、前記体動が画像に及ぼす影響を除去するように、前記他のブロックのデータを体動補正する体動補正手段と、を備え、
前記体動補正手段は、
前記基準ブロックおよび前記他のブロックにおける低周波計測領域から第１のデータ配列を抽出して、フーリエ変換した後に位相差を求め、当該位相差の一次変化から前記体動量の回転移動成分を検出する回転移動成分検出手段と、
前記他のブロックのデータについて、前記回転移動成分検出手段で検出した回転移動成分を補正する回転移動成分補正手段と、
前記基準ブロックおよび前記他のブロックにおける低周波計測領域から第２のデータ配列を抽出して、前記体動量の平行移動成分を検出する平行移動成分検出手段と、
平行移動成分検出手段で検出した前記平行移動成分を補正する平行移動成分補正手段と、を備える磁気共鳴イメージング装置であって、
前記第２のデータ配列は、前記低空間周波数領域内の前記原点を通る線分上のデータであり、
前記平行移動成分検出手段は、前記第２のデータ配列から位相差を求め、当該位相差にフィッティングされた一次直線から前記線分方向の平行移動成分を検出すること
を特徴とする磁気共鳴イメージング装置。
【請求項４】
被検体に静磁場を印加する静磁場発生手段と、傾斜磁場を印加する傾斜磁場発生手段と、前記被検体内の原子核スピンに核磁気共鳴を誘起する高周波磁場パルスを照射する高周波磁場発生手段と、核磁気共鳴により放出されるエコー信号を検出するエコー信号受信手段と、前記エコー信号を用いて画像を再構成する演算を行う画像再構成手段と、前記エコー信号のデータが配置されるｋ空間を、その原点を通る計測軌跡を有するブロックであって前記ｋ空間の座標軸に対する前記計測軌跡の角度が互いに異なる複数のブロックに分割して計測するように、前記傾斜磁場発生手段、高周波磁場発生手段及びエコー信号受信手段を制御する計測制御手段と、各ブロックのデータを共通のｋ空間に再配置して合成する合成手段と、基準とするブロック（基準ブロック）と他のブロックとの計測の間に生じた前記被検体の体動量を検出して、前記体動が画像に及ぼす影響を除去するように、前記他のブロックのデータを体動補正する体動補正手段と、を備え、
前記体動補正手段は、
前記基準ブロックおよび前記他のブロックにおける低周波計測領域から第１のデータ配列を抽出して、フーリエ変換した後に位相差を求め、当該位相差の一次変化から前記体動量の回転移動成分を検出する回転移動成分検出手段と、
前記他のブロックのデータについて、前記回転移動成分検出手段で検出した回転移動成分を補正する回転移動成分補正手段と、
前記基準ブロックおよび前記他のブロックにおける低周波計測領域から第２のデータ配列を抽出して、前記体動量の平行移動成分を検出する平行移動成分検出手段と、
平行移動成分検出手段で検出した前記平行移動成分を補正する平行移動成分補正手段と、を備える磁気共鳴イメージング装置であって、
前記第２のデータ配列は、前記低空間周波数領域内の前記原点を含む領域のデータであり、
前記平行移動成分検出手段は、前記第２のデータ配列から位相差を求め、当該位相差にフィッティングされた一次平面から平行移動成分を検出すること
を特徴とする磁気共鳴イメージング装置。
【請求項５】
請求項３又は４いずれか一項に記載の磁気共鳴イメージング装置であって、
前記平行移動成分補正手段は、前記他のブロックのデータについて検出された平行移動成分がキャンセルされるように当該他のブロックのデータに位相回転を与えることにより、前記平行移動成分を補正すること
を特徴とする磁気共鳴イメージング装置。
【請求項６】
請求項１記載の磁気共鳴イメージング装置であって、
前記合成手段は、前記再配置を前記回転移動成分補正手段における回転移動成分の補正と同時に実行すること
を特徴とする磁気共鳴イメージング装置。
【請求項７】
請求項１記載の磁気共鳴イメージング装置であって、
前記体動補正手段は、
最初に計測するブロックを基準ブロックとし、前記基準ブロックの次に計測される１のブロックを他のブロックとし、
前記計測制御手段が、前記他のブロックの計測を終えると、前記体動補正を行い、前記検出した体動量に対応して前記エコー信号の計測条件を変更するとともに、前記他のブロックを前記基準ブロックとし、
前記計測制御手段は、
次のブロックのエコー信号の計測を、前記体動補正手段が変更した前記計測条件で行うよう制御すること
を特徴とする磁気共鳴イメージング装置。
【請求項８】
請求項７記載の磁気共鳴イメージング装置であって、
前記変更する計測条件は、前記ｋ空間の座標軸に対する計測軌跡の角度であり、
前記計測軌跡の角度は、前記回転移動成分検出手段が検出した前記体動量の回転移動成分に対応して変更されること
を特徴とする磁気共鳴イメージング装置。
【請求項９】
請求項７記載の磁気共鳴イメージング装置であって、
前記変更する計測条件は、エコー信号の受信周波数及び受信位相のうち少なくとも一方であり、
前記計測条件は、前記平行移動成分検出手段が検出した前記体動量の平行移動成分に対応して変更されること
を特徴とする磁気共鳴イメージング装置。
【請求項１０】
請求項１記載の磁気共鳴イメージング装置であって、
前記ブロックは、前記ｋ空間の低空間周波数領域から高空間周波数領域に亘って所定の幅を有し、複数の平行な計測軌跡を有すること
を特徴とする磁気共鳴イメージング装置。
【請求項１１】
請求項１記載の磁気共鳴イメージング装置であって、
前記各ブロックは、前記原点を通る複数の放射線状の計測軌跡を有すること
を特徴とする磁気共鳴イメージング装置。
【発明の詳細な説明】
【技術分野】
【０００１】  本発明は、核磁気共鳴現象を利用して被検体の検査部位の断層画像を得る磁気共鳴イメージング装置に関し、特に被検体の体動によって発生する画像上のアーチファクトを信号補正により低減する技術に関する。
【背景技術】
【０００２】  磁気共鳴イメージング装置（以下、「ＭＲＩ装置」という）では、撮影中に被検体が動いた場合、その影響は画像全体に及び、位相エンコード方向に画像が流れた様なアーチファクト（以下、「体動アーチファクト」と呼ぶ）が生じる。これは、図１（ａ）に示すように、ｋ空間上の各格子点のエコー信号をサンプリングするに際し、周波数エンコード方向に平行なサンプリングを位相エンコード方向に繰り返す（以下、「直交系（Ｃａｒｔｅｓｉａｎ）サンプリング法」という）ためである。【０００３】  体動による位置ずれを補正する方法としては、一般的に、相関関係により被検体の動き量を算出し補正する手法（以下、相関法と呼ぶ）があり、例えば下記の非特許文献１に開示されている。
【非特許文献１】Ｔａｋｉｚａｗａ  ｅｔ．ａｌ．，Ｎｕｃｌｅａｒ  ｍａｇｎｅｔｉｃ  ｒｅｓｏｎａｎｃｅ  ｉｍａｇｉｎｇ  ｍｅｔｈｏｄ  ａｎｄ  ｄｅｖｉｃｅ，ＵＳＰ６，５４１，９７０
【発明の開示】
【発明が解決しようとする課題】
【０００４】  しかし上記相関法で動き量の算出精度を向上するためには、繰り返し演算回数を増加する必要がある。つまり、この相関法の演算は、基準となるデータに対して、取得したデータの移動量を後処理で少しずつずらしながら、相関値が最少となるものを探す演算を繰り返すため、算出精度を向上するためにはずらしの単位量を微少にする必要があり、その反面、演算回数が増加して処理時間が長くかかる。また、併進のみでなく回転運動を補正するには、二次元的に演算を行う必要があるため、さらに計算時間がかかる。【０００５】  一方、下記の非特許文献２には、全計測を複数のブロックに分割し、各ブロックを異なるｋ空間の回転角で計測するハイブリッドラディアル法（図１（ｃ））が開示され、回転移動と平行移動による体動をそれぞれ相関法又は相関法と同様の手法を用いて補正することが記載されている。しかしハイブリッドラディアル法では、回転移動のみを補正する場合でも、回転した画像を作成する処理（グリッティング）と相関計算とを検出精度で決まる繰り返し回数（例えば１００回）繰り返す必要があるため、処理速度は非常に遅くなる。検出精度を高めようとすると更に処理速度は低下する。この問題は、ｋ空間を放射線状に計測するラディアル法（図１（ｂ））でも同様である。
【非特許文献２】Ｊａｍｅｓ  Ｇ．Ｐｉｐｅ，Ｍｏｔｉｏｎ  Ｃｏｒｒｅｃｔｉｏｎ  Ｗｉｔｈ  ＰＲＯＰＥＬＬＥＲ  ＭＲＩ：Ａｐｐｌｉｃａｔｉｏｎ  ｔｏ  Ｈｅａｄ  Ｍｏｔｉｏｎ  ａｎｄ  Ｆｒｅｅ−Ｂｒｅａｔｈｉｎｇ  Ｃａｒｄｉａｃ  Ｉｍａｇｉｎｇ，Ｍａｇｎｅｔｉｃ  Ｒｅｓｏｎａｎｃｅ  ｉｎＭｅｄｉｃｉｎｅ  ４２：９６３−９６９（１９９９）
【０００６】  そこで本発明では、ハイブリッドラディアル法或いはラディアルサンプリング法において、高速かつ高精度に被検体の回転及び平行移動に起因する体動を補正することを目的とする。
【課題を解決するための手段】
【０００７】  前記課題を解決するために、本発明は次のように構成される。
（１）（ａ）被検体からのエコー信号を計測する工程であって、ｋ空間の原点を通る計測軌跡を含む単位ｋ空間データを取得する単位計測工程と、
（ｂ）前記ｋ空間の座標軸に対する前記計測軌跡の角度を変えて前記単位計測工程を繰り返すことによって、前記被検体の画像の再構成に必要な全ｋ空間データを取得する単位計測繰り返し工程と、
（ｃ）前記単位計測工程でそれぞれ取得した各単位ｋ空間データを共通のｋ空間に再配置する再配置工程と、
（ｄ）複数の単位ｋ空間データの中から基準とする単位ｋ空間データを選択する基準選択工程と、
（ｅ）前記基準単位ｋ空間データの取得時と他の単位ｋ空間データの取得時との間における前記被検体の体動量を検出して、前記体動が画像に及ぼす影響を除去するように、他の単位ｋ空間データを体動補正する体動補正工程と、
（ｆ）前記体動補正工程（ｅ）を繰り返して、全ての前記他の単位ｋ空間データに対して前記体動補正を行う体動補正繰り返し工程と、
（ｇ）前記基準ｋ空間データ及び体動補正後の他の単位ｋ空間データを共通のｋ空間上で合成した後、画像を再構成する画像再構成工程と、
を含む磁気共鳴イメージング方法において、
前記体動補正工程（ｅ）は、前記基準単位ｋ空間データと前記他の単位ｋ空間データの低空間周波数領域の少なくとも一部のデータを抽出して相互の位相差を求め、当該位相差から前記体動量を検出する。【０００８】  本発明の磁気共鳴イメージング方法によれば、抽出された一部のデータの位相差から体動量を検出するので、相関法による繰り返し処理を必要とせず、体動補正に必要な演算量を低減することができ、高速かつ高精度に体動補正を行うことができる。【０００９】  （２）好ましくは（１）に記載の磁気共鳴イメージング方法において、前記体動補正工程（ｅ）は、
（ｈ）前記低空間周波数領域から第１のデータ配列を抽出して、前記体動量の回転移動成分を検出する回転移動成分検出工程と、
（ｉ）前記回転移動成分を補正する回転移動成分補正工程と、
（ｊ）前記低空間周波数領域から第２のデータ配列を抽出して、前記体動量の平行移動成分を検出する平行移動成分検出工程と、
（ｋ）前記平行移動成分を補正する平行移動成分補正工程と、
を含む構成にすることができる。
これにより、計測空間にて被検体の体動量を回転と平行移動の成分毎に算出して補正を行うことができるため、高精度な体動補正を行うことができる。【００１０】（３）好ましくは（２）に記載の磁気共鳴イメージング方法において、
前記第１のデータ配列として、前記ｋ空間の原点を囲む所定半径の円周上の少なくとも一部のデータを用いる。
（４）また、好ましくは（３）に記載の磁気共鳴イメージング方法において、
前記回転移動成分検出工程は、前記第１のデータ配列をフーリエ変換した後に位相差を求め、当該位相差の一次変化から前記回転移動成分を検出する。【００１１】  （５）また、好ましくは（２）に記載の磁気共鳴イメージング方法において、
前記回転移動成分補正工程（ｉ）は、体動補正すべき単位ｋ空間データに対し、当該単位ｋ空間データについて検出された回転移動成分と同量であって逆方向の回転移動を加える。【００１２】  （６）また、好ましくは（２）に記載の磁気共鳴イメージング方法であって、
前記第２のデータ配列は、前記低空間周波数領域内の前記原点を通る線分上のデータであり、
前記平行移動成分検出工程（ｊ）は、前記第２のデータ配列から位相差を求め、当該位相差にフィッティングされた一次直線から前記線分方向の平行移動成分を検出する。【００１３】  （７）また、好ましくは（２）記載の磁気共鳴イメージング方法であって、
前記第２のデータ配列は、前記低空間周波数領域内の前記原点を含む領域のデータであり、
前記平行移動成分検出工程（ｊ）は、前記第２のデータ配列から位相差を求め、当該位相差にフィッティングされた一次平面から平行移動成分を検出する。【００１４】  （８）また、好ましくは（２）記載の磁気共鳴イメージング方法であって、
前記平行移動成分補正工程（ｋ）は、体動補正すべき単位ｋ空間データに対し、当該単位ｋ空間データについて検出された平行移動成分がキャンセルされるように位相回転を与える。【００１５】  （９）また、好ましくは（２）記載の磁気共鳴イメージング方法であって、
前記再配置工程（ｃ）を、回転移動成分補正工程（ｉ）における回転移動補正と同時に実行する。
これにより、再配置工程を省略することができ、画像再構成のための演算量を低減できる。【００１６】  （１０）また、好ましくは（２）記載の磁気共鳴イメージング方法であって、
前記基準選択工程（ｄ）は、前記体動補正工程（ｅ）より前に実行され、前記体動補正繰り返し工程（ｆ）は省略され、
前記体動補正工程（ｅ）は、前記単位計測工程（ａ）と前記単位計測繰り返し工程（ｂ）との間に実行され、検出した前記体動量に対応して、少なくとも前記体動を検出した単位ｋ空間データを補正し且つ前記単位計測繰り返し工程（ｂ）で次に行う前記単位計測工程（ａ）の計測条件を変更し、
前記単位計測繰り返し工程（ｂ）は、前記変更された計測条件で前記単位計測工程（ａ）を行うことにより前記エコー信号を計測する。【００１７】  この磁気共鳴イメージング方法によれば、検出した体動量に対応して、その後の単位計測工程の計測条件を変更するので、より体動アーチファクトを抑制した画像を形成することができる。【００１８】  （１１）また、好ましくは（１０）記載の磁気共鳴イメージング方法であって、
前記体動補正工程（ｅ）は、検出した前記体動量の回転移動成分に対応して、前記単位計測工程における前記ｋ空間の座標軸に対する計測軌跡の角度を変更する。
（１２）また、好ましくは（１０）記載の磁気共鳴イメージング方法であって、
前記体動量補正工程（ｅ）は、検出した前記体動量の平行移動成分に対応して前記単位計測工程におけるエコー信号の受信周波数及び受信位相のうち少なくとも一方を変更する。【００１９】  （１３）また、好ましくは（１０）記載の磁気共鳴イメージング方法であって、
前記体動量補正工程（ｅ）は、検出した体動量に基き、当該体動量が検出された単位ｋ空間データを補正する。【００２０】  （１４）また、好ましくは（１）記載の磁気共鳴イメージング方法であって、
前記単位計測工程は、前記ｋ空間の低空間周波数領域から高空間周波数領域に亘って所定の幅を有する単位領域であって、複数の平行な計測軌跡からなる単位領域のｋ空間データを計測する。【００２１】  （１５）また、好ましくは（１）記載の磁気共鳴イメージング方法であって、
前記単位計測工程は、前記原点を通る複数の放射線状直線上のｋ空間データを計測する。【００２２】  （１６）また、本発明の別の態様としては、
被検体に静磁場を印加する静磁場発生手段と、
傾斜磁場を印加する傾斜磁場発生手段と、
前記被検体内の原子核スピンに核磁気共鳴を誘起する高周波磁場パルスを照射する高周波磁場発生手段と、
核磁気共鳴により放出されるエコー信号を検出するエコー信号受信手段と、
前記エコー信号を用いて画像を再構成する演算を行う画像再構成手段と、
前記エコー信号のデータが配置されるｋ空間を、その原点を通る計測軌跡を有するブロックであって前記ｋ空間の座標軸に対する前記計測軌跡の角度が互いに異なる複数のブロックに分割して計測するように、前記傾斜磁場発生手段、高周波磁場発生手段及びエコー信号受信手段を制御する計測制御手段と、
各ブロックのデータを共通のｋ空間に再配置して合成する手段と、
基準とするブロックと他のブロックの計測の間に生じた前記被検体の体動量を検出して、前記体動が画像に及ぼす影響を除去するように、前記他のブロックのデータを体動補正する体動補正手段とを備えた磁気共鳴イメージング装置において、
前記体動補正手段は、前記基準ブロックと前記他のブロックにおける低周波計測領域の少なくとも一部のデータを抽出して相互の位相差を求め、当該位相差から前記体動量を検出する。【００２３】  （１７）好ましくは（１６）記載の磁気共鳴イメージング装置であって、
前記体動補正手段は、前記体動量の回転移動成分を検出して該回転移動成分を補正する回転移動成分補正手段と、前記体動量の平行移動成分を検出して該平行移動成分を補正する平行移動成分補正手段とを備える。【００２４】  （１８）また、好ましくは（１７）記載の磁気共鳴イメージング装置であって、
前記回転移動成分補正手段は、体動補正すべきブロックのデータに対し、当該ブロックのデータについて検出された回転移動成分と同量であって逆方向の回転移動を加える。【００２５】  （１９）また、好ましくは（１７）記載の磁気共鳴イメージング装置であって、
前記平行移動成分補正手段は、体動補正すべきブロックのデータに対し、当該ブロックのデータについて検出された平行移動成分がキャンセルされるように位相回転を与える。【００２６】  （２０）また、好ましくは（１６）記載の磁気共鳴イメージング装置であって、
前記体動補正手段は、前記体動量に対応して前記エコー信号の計測条件を変更し、
前記計測制御手段は、変更された計測条件でエコー信号を計測する。
【発明を実施するための最良の形態】
【００２７】  以下、本発明の実施形態を図面に基づいて説明する。なお、発明の実施形態を説明するための全図において、同一符号を付けた要素は同一機能を有するものであり、その繰り返しの説明は省略する。【００２８】［装置の概要］
図２は本発明によるＭＲＩ装置の全体構成を示すブロック図である。このＭＲＩ装置は、核磁気共鳴（ＮＭＲ）現象を利用して被検体の断層画像を得るもので、図２に示すように、静磁場発生系２と、傾斜磁場発生系３と、送信系５と、受信系６と、信号処理系７と、シーケンサ４と、中央処理装置（ＣＰＵ）８とを備えて構成される。【００２９】  静磁場発生系２は、被検体１の周りの空間にその体軸方向または体軸と直交する方向に均一な静磁場を発生させるもので、被検体１の周りに永久磁石方式または常電導方式あるいは超電導方式の磁場発生手段が配置されている。【００３０】  傾斜磁場発生系３は、Ｘ，Ｙ，Ｚの３軸方向に巻かれた傾斜磁場コイル９と、それぞれの傾斜磁場コイルを駆動する傾斜磁場電源１０とから成り、後述のシーケンサ４からの命令に従ってそれぞれのコイルの傾斜磁場電源１０を駆動することにより、互いに直交する所望の３方向の傾斜磁場Ｇｓ，Ｇｐ，Ｇｆを被検体１に印加する。例えば、Ｘ，Ｙ，Ｚのいずれかの１方向にスライス方向傾斜磁場パルス（Ｇｓ）を印加して被検体１に対するスライス面を設定し、残り２つの方向に位相エンコード方向傾斜磁場パルス（Ｇｐ）と周波数エンコード方向傾斜磁場パルス（Ｇｆ）を印加して、エコー信号にそれぞれの方向の位置情報をエンコードする。【００３１】  シーケンサ４は、高周波磁場パルス（以下、「ＲＦパルス」という）と傾斜磁場パルスを所定のパルスシーケンスで繰り返し印加する制御手段で、ＣＰＵ８の制御で動作し、被検体１の断層画像のデータ収集に必要な種々の命令を送信系５、傾斜磁場発生系３、および受信系６に送る。パルスシーケンスは撮像方法によって決まる種々のものがあり、本発明ではラディアルサンプリング法或いはハイブリッドラディアル法を採用したパルスシーケンスが実行される。【００３２】  送信系５は、被検体１の生体組織を構成する原子の原子核スピンに核磁気共鳴を起こさせるためにＲＦパルスを照射するもので、高周波発振器１１と変調器１２と高周波増幅器１３と送信側の高周波コイル１４ａとから成る。高周波発振器１１から出力された高周波パルスをシーケンサ４からの指令によるタイミングで変調器１２により振幅変調し、この振幅変調された高周波パルスを高周波増幅器１３で増幅した後に被検体１に近接して配置された高周波コイル１４ａに供給することにより、電磁波（ＲＦパルス）が被検体１に照射される。【００３３】  受信系６は、被検体１の生体組織を構成する原子核スピンの核磁気共鳴により放出されるエコー信号（ＮＭＲ信号）を検出するもので、受信側の高周波コイル１４ｂと増幅器１５と直交位相検波器１６と、Ａ／Ｄ変換器１７とから成る。送信側の高周波コイル１４ａから照射された電磁波によって誘起される被検体１の応答の電磁波（ＭＲ信号）が被検体１に近接して配置された高周波コイル１４ｂで検出され、増幅器１５で増幅された後、シーケンサ４からの指令によるタイミングで直交位相検波器１６により直交する二系統の信号に分割され、それぞれがＡ／Ｄ変換器１７でディジタル量に変換されて、信号処理系７に送られる。【００３４】  信号処理系７は、光ディスク１９、磁気ディスク１８等の外部記憶装置と、ＣＲＴ等からなるディスプレイ２０とを有し、受信系６からのデータがＣＰＵ８に入力されると、ＣＰＵ８が信号処理、画像再構成等の処理を実行し、その結果である被検体１の断層画像をディスプレイ２０に表示すると共に、外部記憶装置の磁気ディスク１８等に記録する。【００３５】  なお、図２において、送信側及び受信側の高周波コイル１４ａ，１４ｂと傾斜磁場コイル９は、被検体１の周りの空間に配置された静磁場発生系２の静磁場空間内に設置されている。【００３６】  現在ＭＲＩ装置の撮影対象スピン種は、臨床で普及しているものとしては、被検体の主たる構成物質であるプロトンである。プロトン密度の空間分布や、励起状態の緩和現象の空間分布を画像化することで、人体頭部、腹部、四肢等の形態または、機能を２次元もしくは３次元的に撮影する。【００３７】［撮像方法］
次にこのような構成におけるＭＲＩ装置による撮像方法について説明する。
［第１の実施形態］
この実施形態では、ハイブリッドラディアル法による撮像を行い、これにより取得したデータについて体動補正を行い画像を再構成する場合を説明する。
ハイブリッドラディアル法による撮像では、ｋ空間を複数のブロック（単位領域）に分割し、各ブロックを異なるｋ空間の回転角で計測し、ブロック内で計測されるエコー信号に位相エンコードを付与する（図１（ｃ））。ハイブリッドラディアル法を用いたグラディエントエコーパルスシーケンスを図３に示す。図中、ＲＦ，Ｇｓ，Ｇｐ，Ｇｒ，Ａ／Ｄ，ｅｃｈｏはそれぞれ、ＲＦパルス、第１の方向（スライス）の傾斜磁場、第２の方向の傾斜磁場、第３の方向の傾斜磁場、Ａ／Ｄ変換、エコー信号の時間軸を表す。３０１はＲＦパルス、３０２はスライス選択傾斜磁場パルス、３０３、３０４は周波数エンコードのパルス領域、３０５、３０６は位相エンコードのパルス領域、３０７はサンプリングウインド、３０８１〜３０８４はエコー信号、３０９は繰り返し時間（ＲＦパルス３０１の間隔）である。【００３８】  図３に示すパルスシーケンスでは、計測３１０を４つのブロック（ブレードとも呼ばれる）３０９−１〜３０９−４に分割し、それぞれのブロック内で５個のエコー信号を取得する場合を例示している。ブロック３０９−１〜３０９−４毎に異なるｋ空間上の回転角となるように、傾斜磁場出力を設定し、それぞれのブロック３０９−１〜３０９−４内では、位相エンコードパルスを付加している。具体的には、傾斜磁場３０３、３０４は回転角度に応じて出力が変化するように構成され、その前に印加される傾斜磁場３０５、３０６で位相エンコード量を付加される。そして、第１のブロック３０９−１内で位相エンコード量３０５−１の異なる５つのエコー信号３０８１−１〜３０８１−５を取得した後、第２のブロック３０９−２に移行して、位相エンコード量３０５−２及び３０６−２の異なる５つのエコー信号３０８２−１〜３０８２−５を取得する。この操作を第３のブロック３０９−３、第４のブロック３０９−４についても同様に行い、エコー信号３０８３−１〜３０８３−５、３０８４−１〜３０８４−５を取得し、画像再構成に必要な全てのエコー信号を取得する。【００３９】  図示する例では、ブロック３０９−１はＫｘ軸に、ブロック３０９−３はＫｙ軸に平行となるようにシーケンスを実行している（ブロック３０９−１とブロック３０９−３は互いに直交する）ため、傾斜磁場３０６−１と３０５−３には位相エンコード成分が含まれず、出力が一定である。【００４０】  このようにして取得したエコー信号を、ｋ空間に配置した結果は図１（ｃ）に示したようになる。この場合では、各ブロック３０９−１〜３０９−４毎に、角度φで回転し、位相エンコード量が異なる５個のエコー信号からなるデータ４０１−１〜４０１−４が得られる。この回転角度φは、ブロック数をｎとするとφ＝２π／ｎである。【００４１】  次に得られたデータ４０１−１〜４０１−４をグリッディング処理する。グリッディング処理とは、非直交系サンプリングで取得したデータをｋ空間の格子点の座標に再配置する処理である。即ち、ｋ空間４００は、図４に黒丸で示すように規則正しい格子点の座標を有する。しかし、非直交系サンプリングで取得したデータ、例えばデータ４０１−２はｋ空間に対して異なる軌跡（座標）を通るので、白丸で示すサンプリングされたデータはｋ空間の��子点座標と一致しない。グリッディング処理では、これらサンプリングされたデータ（図中の白丸）を用いて、補間処理により規則正しい格子点座標（図中の黒丸）にデータを再配置する。なお、グリッディング処理については、例えばＪ．Ｉ  Ｊａｃｋｓｏｎ  ｅｔ．ａｌ．，Ｓｅｌｅｃｔｉｏｎ  ｏｆ  ａ  Ｃｏｎｖｏｌｕｔｉｏｎ  Ｆｕｎｃｔｉｏｎ  ｆｏｒ  Ｆｏｕｒｉｅｒ  Ｉｎｖｅｒｓｉｏｎ  Ｕｓｉｎｇ  Ｇｒｉｄｄｉｎｇ，ＩＥＥＥ  Ｔｒａｎｓ．Ｍｅｄ．Ｉｍａｇｉｎｇ，Ｖｏｌ．１０，ＰＰ．４７３−４７８，１９９１などに紹介されており、ｓｉｎｃ関数やＫａｉｓｅｒ−Ｂｅｓｓｅｌ関数の補間用関数を用いて行うことができる。【００４２】  こうして取得したデータのグリッディングが終了したならば、ブロックのデータ間の体動補正を行う。図５に補正手順を模式的に示す。体動補正は、回転補正５０１（ステップ５０３〜５０６）及び平行移動補正５０２（ステップ５０７〜５０９）とからなり、まず複数のブロックのうちの一つを基準ブロックとして基準ブロックのデータに対する他のブロックのデータを回転補正し、次いで回転補正されたデータについて平行移動補正を行う。【００４３】  回転補正５０１では、まず各ブロックの計測の間に生じた体動回転量を検出するためのデータ配列を作成する（ステップ５０３）。データ配列は、各ブロックのデータが重なり合う領域（共通領域）から体動（回転）を反映したデータを抽出し作成する。本実施形態ではデータ配列を作成するために、ｋ空間原点を中心とする所定の半径Ｒの円周上のデータを抽出する。【００４４】  このステップ５０３の詳細について、図６を用いて説明する。図６（ａ）〜（ｄ）は、各ブロックのｋ空間データ４０１−１〜４０１−４を模式的に示したものであり、灰色部分がデータを取得した領域である。このとき、ｋ空間の低周波領域に、開始点Ａから終了点Ｂまでの円状の軌跡６１０に沿ってデータを選択し、この円周上のデータを円周の回転角を横軸として配列したデータ配列を作成する。各ブロックについて作成したデータ配列を開始点Ａと終了点Ｂが一致するように配置したものを図６（ｅ）に模式的に示す。図中、横軸はｋ空間原点を中心とする円周上の位置ｋ、縦軸は信号強度を示し、６１１−１〜６１１−４はそれぞれ４０１−１〜４０１−４から抽出した円周上のデータ配列を表したものである。【００４５】  画像空間での回転は、ｋ空間での回転と対応するので、被検体の動きにより画像に回転が生じると、各ブロックで作成した円周上のデータ配列６１１−１〜６１１−４に位置（ｋ方向）のシフトが生じる。すなわち回転方向の体動がなければ、図６（ｅ）のデータ配列６１１−１〜６１１−４は同じｋ空間座標値のデータであるので、重なるはずであるが、回転方向の体動があるとｋ方向にずれが生じる。【００４６】  このように各ブロックについてデータ配列６１１−１〜６１１−４を作成したならば、次いで、一つのブロック（例えばブロック１）のデータ配列６１１−１を基準として、その他のデータ配列６１１−２〜６１１−４のｋ方向のシフト量、即ち回転方向のシフト量（回転量）を求め、これを補正する（ステップ５０４）。このシフト量Δｋは、フーリエ変換後の空間での��相変化と対応するため、この性質を利用して回転量を算出する。【００４７】  このことを図７を参照して説明する。図７（ａ）は、横軸を位置（Ｘ）、縦軸を信号強度（Ｉ）としたエコー信号のプロジェクションを模式的に示したものである（位置の範囲は、１≦ｘ≦Ｘとする）。ここでプロジェクション７０１−１が、Δｘだけ平行移動しプロジェクション７０１−２へ移行したとする。図７（ｂ）は、これら２つのプロジェクションをフーリエ変換し、横軸を時間（ｔ）、縦軸をプロジェクションの移動量Δｘに対応した信号の位相値として示したものである。【００４８】  このとき、移動前のプロジェクション７０１−１に対しては、移動量が０であるので、位相７０２−１も０となる。これに対し、移動後のプロジェクション７０１−２に対しては、移動量Δｘに対応して位相７０２−２が回転する。この位相と移動量Δｘとは式（１）で表される。
θ（ｔ）＝２π（Δｘ／Ｘ）ｔ    （１）【００４９】  上記データ配列の位置ずれについても同様の関係が成り立ち（次式（２））、データ配列をフーリエ変換した後のデータの位相差を求めることにより、次式（２）により、ずれΔｋを求めることができる。
θ（ｌ）＝２π（Δｋ／Ｋ）ｌ    （２）
ここでＫは円周の長さ、ｌはｋをフーリエ変換したデータの次元を表す。【００５０】  このため、まず各データ配列６１１−１〜６１１−４をフーリエ変換し、基準となるデータ配列６１１−１のフーリエ変換後データと、その他のデータ配列６１１−２〜６１１−４をフーリエ変換したデータとの位相差を算出する。
データ間の位相差の算出は、例えば、フーリエ変換後の複素データをＣ、Ｄとしたとき、次式（３）、（４）より、２データ間の複素差分Ｅを算出し、その差分から位相値θを求めることで算出できる。
Ｒｅ［Ｅ］＝（Ｒｅ［Ｃ］×Ｒｅ［Ｄ］−Ｉｍ［ｃ］×Ｉｍ［Ｄ］）／｜Ｄ｜    （３）
Ｉｍ［Ｅ］＝（Ｉｍ［Ｃ］×Ｒｅ［Ｄ］＋Ｒｅ［ｃ］×Ｉｍ［Ｄ］）／｜Ｄ｜    （４）
（ここで、Ｒｅ［］，Ｉｍ［］はそれぞれデータの実部、虚部を表し｜  ｜は絶対値を表す）、
θ＝ａｒｃ
ｔａｎ（Ｉｍ［Ｅ］／Ｒｅ［Ｅ］）    （５）【００５１】  図６（ｆ）は、算出した各ブロックのデータの位相差を模式的に示したものである。６１２−２〜６１２−４は、基準となる円周上のデータ配列６１１−１に対する、他のデータ配列６１１−２〜６１１−４のそれぞれの位置ずれ（回転方向のずれ）に対応した位相差である。前述したように、ｋ方向のシフト量Δｋに対する位相回転は、前述の式（２）で与えられ、この式（２）から位相差の傾き（２π×Δｋ／Ｋ）を求めることができる。ここで位相差の傾きを
Δｐ＝２π×Δｋ／Ｋ    （６）
とすると、ｋ方向のシフト量Δｋは、
Δｋ＝Δｐ×Ｋ／２π    （７）
となる。このシフト量Δｋは、Ｒを円周（６０１）の半径として角度（ラディアン）で表すと、
Δφ＝Δｋ／Ｒ          （８）
となる。円周の長さＫは
Ｋ＝２πＲ              （９）
であるから、式（７）〜（９）より、回転方向のずれ（回転量）は
Δφ＝Δｋ／Ｒ＝Δｐ×Ｋ／２πＲ＝Δｐ    （１０）
となる。以上の計算をデータ配列６１１−１を基準として各データ配列６１１−２〜６１１−４について実行することにより、各ブロックにおける回転量（Δφ）５０５−１〜５０５−３を算出できる。【００５２】  次に算出した回転量Δφ（５０５−１〜５０５−３）を用いて、それぞれのブロックのデータ４０１−２〜４０１−４を回転補正する（ステップ５０６）。回転補正５０１では、各ブロックで求めた回転量５０５−１〜５０５−３に応じて、各ブロックのｋ空間データ４０１−２〜４０１−４をグリッディングにより回転することで、体動のうち回転成分を補正できる。回転補正されたデータは、平行移動の補正５０２に渡される。【００５３】  平行移動の補正では、基準ブロックのｋ空間データ４０１−１と、回転補正後の各ブロックのデータを用いて位相差を算出する（ステップ５０７−１〜５０７−３）。位相の回転量（位相量）はｋ空間データ同士の計算で求めることができ、具体的にはｋ空間の複素データに対し前述の式（３）〜（５）を当てはめることにより求めることができる。【００５４】  こうして算出した位相量５０８−１〜５０８−３には、基準ブロックのデータ４０１−１を計測した時点に対する、それぞれのブロックのデータ４０１−２〜４０１−４計測時における被検体の平行移動に起因する位相変化が含まれているので、データ４０１−２〜４０１−４をこれら位相量５０８−１〜５０８−３で補正することにより、２次元的な平行移動を除去したデータ４１１−１〜４１１〜３が得られる。【００５５】  位相差の算出には、計測データ全部を用いる必要はなく、計測データの一部を用いて算出することができ、好適には同一領域のデータであって低域データを用いる。また２方向（例えばｘ軸方向及びｙ軸方向）の移動成分からなる平行移動量を２方向のそれぞれについて算出することも、各成分に分けることなく算出することも可能である。図８（ａ）、（ｂ）に、平行移動量を求めるためのデータ配列の一例を示す。【００５６】  図８（ａ）は、２方向（ｘ軸方向及びｙ軸方向）の平行移動量をそれぞれ求めるためデータ配列を示す図である。図示する例では、位相差を算出するためにｋｘ方向、ｋｙ方向の原点を通る線分データ８０１、８０２を、基準ブロックのデータ及び各ブロックデータから抽出して、位相差を求める。ここで一次関数で表される位相回転のみが位置シフトに起因する成分であるので、算出された位相差を一次関数でフィッティングする。各ブロックデータ（ｋ空間データ）を、各方向に一次関数で求められる位相量だけ逆位相回転させる。これにより２方向について平行移動を除去したデータ４１１−１〜４１１〜３が得られる。【００５７】  図８（ｂ）は、全体としての平行移動量を一度に求めるためのデータ配列を示す図である。図示する例では、原点を含む低域データ８０３を、基準ブロックのデータ及び各ブロックデータから抽出して位相差を求め、一次平面フィッティングする。各ブロックデータ（ｋ空間データ）を、一次平面関数で求められる位相量だけ逆位相回転させることにより２方向について平行移動を除去したデータ４１１−１〜４１１〜３が得られる。【００５８】  このようにｋ空間で算出した位相差をｋ空間データから��のまま除去することにより１ピクセル以内の平行移動でも精度良く検出し補正することができる。また求めた位相差を一次関数或いは一次平面関数でフィッティングすることにより、補正精度を向上することができる。【００５９】  なお平行移動の補正は上記方法のほか、位相差をピクセルのシフト量に換算して、画像データを補正する方法もあり、本発明においては、そのいずれを採用することも可能である。またステップ５０４及びステップ５０７で算出した位相には、通常ノイズ成分が多く含まれるので、好適には、メディアンフィルタやスムージング処理を適用し、ノイズ成分を除去することで補正の精度が向上する。【００６０】  以上のようにして回転補正（５０１）及び平行移動補正（５０２）が終了したならば、最後に、基準に設定した第１ブロックのｋ空間データ４０１−１と、各ブロックの補正後のｋ空間データ４１１−１〜４１１−３を結合し（ステップ５１０）、最終的なｋ空間データ４２０を作成する。【００６１】  以上説明したように本実施形態によれば、各ブロックの計測データから抽出し、作成した参照データ（データ配列）を用いて簡単な手法で各ブロック間に生じる体動の回転成分を補正することができるので全体として体動補正に必要な演算量を大幅に削減することができる。【００６２】  一般に相関法では、検出精度を設定した後、それぞれのピッチで比較のためのデータを作成し、それと動きがない参照データとの相関係数が最小となるように移動量を求めるので、例えば、検出範囲を±５ピクセル、検出ピッチを０．１ピクセルとした場合、１００回（５×２×（１／０．１））の繰り返し演算が必要である。これに対し、本発明では１回の位相差計算で同じ０．１ピクセル単位の移動量を検出することができる。このような条件で、前述の非特許文献２に記載された相関法で体動補正する場合と本発明により体動補正する場合を比較すると、前者では、回転移動補正について［（回転した画像作成＋相関計算）×１００回］、平行移動補正について［（平行移動した画像作成＋相関計算）×１００×２軸］の計算が必要となるが、本発明の方法によれば、回転移動補正については、［位相差計算＋傾き計算］、平行移動補正について［（位相差計算＋傾き計算）×２軸］となり、大幅に（１／１００以下）に演算量が低減される。【００６３】［第２の実施の形態］
次に本発明の第２の実施形態を説明する。
本実施形態においてもハイブリッドラディアル法の撮像により複数のブロックのデータを取得することは第１の実施形態と同じであり、ここでも一例として４つのブロックの計測を行った場合を説明する。図９に本実施形態における補正手順を示す。【００６４】  本実施形態と第１の実施形態（図５）との違いは、図３のパルスシーケンスにおいて各ブロック３０９−１〜３０９−４で取得したエコー信号３０８１〜３０８４を画像用の直交座標系にグリッディングせず、縦軸を位相エンコード量、横軸を読み出し傾斜磁場の量として、それぞれ異なる座標系に配置したデータ４０５−１〜４０５−４を用いることである。この場合、それぞれのブロックのデータ４０５−１〜４０５−４は、取得したエコー信号を位相エンコード量に応じて平行に並べて配置したものとなる。【００６５】  第２の実施形態でも第１の実施形態と同様に、体動補正は回転補正９０１と、平行移動補正５０２から構成される。回転補正９０１では、第１の実施形態と同様に、基準となるブロックの取得データ４０５−１と、それ以外のブロックの取得データ４０５−２〜４０５−４との回転量を求めるため、円周上のデータ配列を作成し（ステップ５０３−１〜５０３−４）、次いで、それぞれのブロックの回転角を算出する（ステップ５０４−１〜５０４−３）。このとき、算出した回転量９０２−１〜９０２−３には、被検体の体動に起因する回転量と、シーケンスで設定したそれぞれのブロックの回転角が含まれる。【００６６】  そこで、算出した回転量９０２−１〜９０２−３を用いて、各ブロックで取得したエコー信号３０８１〜３０８４を画像用のｋ空間にグリッディングする。これによりグリッディングと同時に体動の補正が行える。それに続く平行移動補正５０２は、第１の実施形態と同様に処理する。本実施形態では、取得したデータをグリッディングせずに、直接回転量を算出するため、画像再構成に必要なグリッディング回数を低減でき、画像再構成時間を短縮できる。【００６７】［第３の実施形態］
以上、説明した第１及び第２の実施形態では、ハイブリッドラディアル法による撮像方法を採用した場合を説明したが、本発明はラディアル法による撮像方法にも適用することが可能である。このような実施形態を以下に説明する。【００６８】  ラディアルサンプリング法を用いたグラディエントパルスシーケンスを図１０に示す。ラディアルサンプリング法では直交系サンプリング法とは異なり、位相エンコード傾斜磁場の軸Ｇｐにも周波数エンコード傾斜磁場９０５と同様の傾斜磁場９０４を印加するとともに、パルスシーケンスの各繰り返し９０７毎にＧｐ，Ｇｒ軸に印加する傾斜磁場９０４，９０５の振幅を変える。パルスシーケンスの各繰り返し９０７で傾斜磁場９０４，９０５の振幅を異ならせることで、図１（ｂ）に示すようなｋ空間の略一点を中心として放射状に回転したデータを取得できる。【００６９】  図１（ｂ）は、９０７を１２回繰り返し、それぞれ９０６−１〜９０６−Ｃのエコー信号を取得した場合である。この場合、ｋ空間を均等に埋めるために必要な回転角ψは、
ψ＝π／１２
であり、このようなサンプリングを行うため、Ｇｐ、Ｇｒ軸の傾斜磁場出力ＧＰ、ＧＲは、直交系サンプリング法で用いる周波数エンコード傾斜磁場の出力をＧ、繰り返し番号をｎ（１≦ｎ≦１２）とした時、
ＧＰ（ｎ）＝Ｇ×ｓｉｎ（ψ×（ｎ−１））
ＧＲ（ｎ）＝Ｇ×ｃｏｓ（ψ×（ｎ−１））
である。【００７０】  本実施形態では、このようなラディアルサンプリングの回転の開始角をずらして複数回を行い、複数回の計測によって取得したデータを合成して一枚の画像を再構成する。逆に言うと、一枚の画像を得るためのラディアルサンプリング法によるｋ空間データを、回転の開始角（角度オフセット）が異なる複数のブロックに分けて取得する。【００７１】  以下、図１１を参照して本実施形態を説明する。図では、一例として一枚の画像再構成用のデータを４つのブロックに分けて撮影を行い、各ブロック１１３−１〜１１３−４では、それぞれ１２個のエコー信号を取得する場合を示している。図中、（ｂ）〜（ｅ）は、各ブロック１１３−１〜１１３−４で取得したエコー信号を、ｋ空間に配置した状態を模式的に示している。各ブロック１１３−１〜１１３−４内では、取得するエコー信号の数及び回転角ψは同じであるが、それぞれ回転の開始角（角度オフセット）１１４が異なる。【００７２】  各ブロック１１３−１〜１１３−４で取得したエコー信号は信号結合処理１１５にて結合され、最終的なｋ空間データ１１６が作成される。このとき、各ブロック１１３−１〜１１３−４で回転のオフセット角１１４−１〜１１４−４が異なることから、ｋ空間データ１１６は、エコーが重複することなく密にサンプリングできる。【００７３】  本実施形態では、この信号結合処理１１５に先立って、各ブロックの計測と計測との間に生じた体動（回転と平行移動）を補正する。本実施例でも体動補正は、回転補正と平行移動補正とからなり、最初に回転補正をすることは上述した第１の実施形態と同じである。即ち、まず各ブロックのデータをグリッディングして直交系のｋ空間データとして再配置した後、座標の原点を中心とする所定の円周上のデータ配列を作成する。ラディアルサンプリング法では、ｋ空間の中心（ラディアルサンプリングの回転中心）からの半径をＲとしたとき、
Ｎｐ≧２×Ｒ×π
の関係を満たすエコー数Ｎｐを取得すれば、ｋ空間の半径Ｒの位置における円周上のデータ配列を作成可能である。各ブロック１１３−１〜１１３−４内では、ｋ空間の低空周波数領域が密にサンプリングされているので、各ブロック内で取得したエコー数Ｎｐ（図１１の例では１２）から、上式で表す半径Ｒを算出し、開始点Ａから終了点Ｂまでの円周上のデータを抽出し、横軸を回転角方向とするデータ配列を作成する。開始点Ａ及び終了点Ｂは、それぞれ全てのブロックにおいて同じｋ空間座標の点である。円周上のデータ配列作成後は、第１の実施形態における回転補正５０１と同様に、データ配列をフーリエ変換したデータについて基準ブロックとそれ以外のブロックとの位相差を算出し、この位相差の傾きから回転量を求め、各ブロックのデータを補正する。【００７４】  回転補正後は、第１の実施形態の平行移動補正５０２と同様に平行移動補正を行い、補正後のｋ空間データを作成する。補正後のｋ空間データを信号結合し、画像用のｋ空間データ１１６を得る。【００７５】  本実施形態によれば、ラディアルサンプリング法による撮像方法においても、ハイブリッドラディアル法の場合と同様に、高速で高精度の体動補正を行なうことができる。【００７６】  以上、本発明の実施形態を説明したが、本発明は、以上の実施形態で開示された内容にとどまらず、本発明の趣旨を踏まえた上で各種形態を取り得る。例えば、上記実施形態ではグラディエントエコーパルスシーケンスについて記載したが、ラディアルサンプリング法及びハイブリッドラディアル法はパルスシーケンスの種類には依存せず、ＳＥパルスシーケンス、ＦＳＥパルスシーケンス、ＥＰＩパルスシーケンスなどに適用できる。【００７７】  また、ラディアルサンプリング法及びハイブリッドラディアル法の実施例として、二次元面内のＧｒ軸、Ｇｐ軸でｋ空間の回転を行う場合について説明したが、Ｇｒ軸、Ｇｐ軸は撮影空間のＸ、Ｙ、Ｚの任意の軸と対応させることが可能であり、オブリーク撮影やオフセンター撮影も実行できる。更に、三次元球内での回転を行うこともできる。【００７８】さらにハイブリッドラディアル法ついて、ブロック数が４の場合を説明したが、実際の撮影では、ブロック数とブロック内のエコー数は任意に設定することができ、この場合も同様の処理を行い、同様の効果を得ることができる。ラディアルサンプリング法についても、取得するエコー数及び回転角、セグメント数は任意に設定することができる。【００７９】  また上述した実施形態では、回転量を求めるためのデータ配列として、円周上にある全データを用いることを説明したが、データ配列は回転方向のデータのずれが検出できるようなデータであればよく、ｋ空間の中心を含む共通する領域の同じ座標のデータであればよい。例えば円周上のデータの一部、半円部分や円周上のデータを間引いたものでもよい。さらに一列のデータではなく、一定の幅を持つ領域のデータを用いてもよい。この場合には、同一半径方向のデータを加算したものを用いる。【００８０】  更に、ダイナミック撮影やフルオロスコピーのような連続撮影や、これら連続撮影時にｋ空間の一部のデータを更新する、エコーシェア法に本発明を適用することも可能である。
本実施形態による撮像方法は、回転量を求める計算をきわめて短時間で行うことが可能であるので、例えば図３に示す計測３１０を連続して繰り返す場合には、２つのブロック間について求めた回転量を次のブロック或いはさらに先のブロックの計測に反映させることも可能である。【００８１】［第４の実施形態］
図１２は、第１の実施形態の撮像方法を応用した連続撮像方法の実施形態を示す図である。図中、１１０１は各ブロックの計測を示し、１１０２は各ブロックの取得データから作成したデータ配列を示し、１１０３は基準ブロック（ここではブロック１）を計測したときからの体動の回転成分を算出した回転量、１１０４は体動補正、１１０５は回転量１１０３を用いた位置の更新処理を示している。【００８２】  ブロック１の計測１１０１−１とブロック２の計測１１０１−２が終了した時点で、それぞれの取得データを用いてデータ配列１１０２−１、１１０２−２を作成し、回転量１１０３−１を求めること、またこの回転量に基き回転補正するとともに回転補正されたデータを平行移動補正することは図５の場合と同じである。但し、この実施形態ではブロック１（基準ブロック）とブロック２との間に生じた回転量を解消するようにブロック３の計測位置，即ち回転角度を調整する。即ち、ブロック１とブロック２との回転量がΔφであったとすると、ブロック３では、本来はｋｙ軸に平行な方向にｋ空間データを取得するように図３の位相エンコード方向傾斜磁場３０３及び周波数エンコード方向傾斜磁場３０４が決められているが、ｋｙ軸に対して−Δφ傾いた方向となるように傾斜磁場３０３、３０４を調整する。【００８３】  すなわち位相エンコード傾斜磁場Ｇｐ及び周波数エンコード傾斜磁場Ｇｒの傾斜磁場出力ＧＰ、ＧＲは、直交系サンプリングで用いる周波数エンコード傾斜磁場の出力をＧ、ブロック数ｎの場合、
ＧＰ（ｎ）＝Ｇ×ｓｉｎ（ψ×（ｎ−１））
ＧＲ（ｎ）＝Ｇ×ｃｏｓ（ψ×（ｎ−１））
であるところ、
ＧＰ（ｎ）＝Ｇ×ｓｉｎ（ψ×（ｎ−１）−Δφ）
ＧＲ（ｎ）＝Ｇ×ｃｏｓ（ψ×（ｎ−１）−Δφ）
とする。但し取得データは本来の傾斜磁場強度で決められるｋ空間座標に配置される。これによりブロック３のデータは、ブロック２計測までの回転の影響を含まないデータとなる。【００８４】  ブロック３の計測が終了したならば、その取得データからデータ配列１１０２−３を作成するとともに基準ブロックのデータから作成したデータ配列１１０２−１から回転量１１０３−２を求め、この回転量１１０３−２に基き回転補正するとともに回転補正されたデータを平行移動補正する。また回転量１１０３−２とブロック１とブロック２との回転量１１０３−１とを加算した回転量を用いて、ブロックの計測における回転角度を決定する。【００８５】  以下、同様に直前に算出されたそれまでの回転量に基いて計測すべきブロックの傾斜磁場の条件を変更することにより、計測の時点でそれまでの体動（回転）の影響を含まないデータを取得することができる。【００８６】  なお、図１２の実施形態では、回転量のみを用いて後続の計測における傾斜磁場強度を制御する場合を説明したが、さらに図５の平行移動補正ステップ５０２で算出した平行移動量（或いは位相量）を用いて、その後の計測の条件を変更することも可能である。この場合には、平行移動量に対応してエコー信号を受信する受信位相および周波数のうち少なくとも一方を変更する。【００８７】  平行移動の場合の計測条件の変更について、ハイブリッドラディアルシーケンスの場合を例に説明する。ハイブリッドラディアルシーケンスにおける各ブロックのｋ空間のｋｘ軸との回転角をφ（ｂ）（ｂはブロック番号で、ブロック数をＢとするとき、１≦ｂ≦Ｂである）とし、画像空間におけるｘ軸方向及びｙ軸方向の移動量をそれぞれΔｘ、Δｙとすると、周波数は各ブロックで設定する周波数ｆ（ｂ）に対して、次式に従い変更する。【００８８】
【数１】
0004707558.tif 000002
式中、γは磁気回転比、Ｇは読み出し傾斜磁場出力量である。
また位相のシフトは、各ブロック内でＥ個のエコー信号を取得する場合、エコー番号ｅ（１≦ｅ≦Ｅ）のデータ取得時に設定する位相は、元の位相Θ（ｂ，ｅ）に対して次式に従い変更する。【００８９】
【数２】
0004707558.tif 000003
ここでＭａｔは再構成後の画像マトリクス（ピクセル数）である。
このように各ブロックの計測と基準ブロックの計測との間に生じた平行移動量に基きブロックの計測条件を変更することにより、各ブロックで取得されるデータは平行移動量による誤差成分を含まないものとなる。この平行移動量に対応した計測条件の変更はそれのみで実行してもよく、その場合には、上述した第１又は第２の実施形態における体動回転成分の補正と同様の補正処理のみを取得データに施すことにより、体動による誤差を含まず体動アーチファクトが抑制された画像を得ることができる。また平行移動に対応した計測条件の変更と、上述した体動の回転移動成分に応じた計測条件の変更、即ち各ブロックの回転角の変更と併せて実行することにより、取得データの補正を行なわなくても体動アーチファクトが抑制された画像を得ることができる。【００９０】  なお上記実施形態では、ハイブリッドラディアル法による取得データに適用した場合を説明したが、セグメント化されたラディアルサンプリング法についても、同様に適用することができ、例えば第１ブロックと第２ブロックとの間の回転量を用いて次のブロックの計測における回転量（開始のオフセット量）を補正することも可能である。またそれを平行移動に対応した計測条件の変更と併せて実行することも可能である。【００９１】  第４の実施形態として、体動の回転成分及び／又は平行移動成分を検出し、それに基づきその後のブロックの計測条件を変更する実施形態を説明したが、このような計測条件の制御は、ブロックのデータの体動補正とは独立して実行することが可能である。例えば、計測条件の制御のみでも体動に基くアーチファクトをある程度低減することは可能である。併せて取得データに対する体動補正も適用すれば更にアーチファクトを低減できる。或いは体動が検出されたブロックのデータを計測条件を制御して再計測してもよい。
【産業上の利用可能性】
【００９２】  本発明によれば、ラディアルサンプリング法、或いはラディアルサンプリング法に位相エンコードを組み合わせたハイブリッドラディアル法に対し、ｋ空間にて被検体の体動量を直接算出し補正を行うことにより、相関法による体動検出の際の繰り返し処理を必要とせず、かつ１ピクセル以内の動きも精度良く検出できるため、高速かつ高精度な体動補正を行うことができる。
【図面の簡単な説明】
【００９３】
【図１】サンプリング方法とｋ空間を説明する図。
【図２】本発明が適用されるＭＲＩ装置の全体構成を示す図。
【図３】本発明が適用されるハイブリッドラディアル法のパルスシーケンスを説明する図。
【図４】グリッディングの概念を説明する図。
【図５】第１の実施形態における処理手順を説明する図。
【図６】第１の実施形態における信号処理（回転補正）を説明する図。
【図７】フーリエ変換の数学的な性質を説明する図。
【図８】第１の実施形態における信号処理（平行移動補正）を説明する図。
【図９】第２の実施形態における処理手順を説明する図。
【図１０】本発明が適用されるラディアルサンプリング法のパルスシーケンスを説明する図。
【図１１】第３の実施形態を説明する図。
【図１２】第４の実施形態を説明する図。
【符号の説明】
【００９４】１  被検体、２  静磁場発生系、３  傾斜磁場発生系、４  シーケンサ、５  送信系、６  受信系、７  信号処理系、８  中央処理装置（ＣＰＵ）、９  傾斜磁場コイル、１０  傾斜磁場電源、１１  高周波発振器、１２  変調器、１３  高周波増幅器、１４ａ  高周波コイル（送信側）、１４ｂ  高周波コイル（受信側）、１５  増幅器、１６  直交位相検波器、１７  Ａ／Ｄ変換器、１８  磁気ディスク、１９  光ディスク、２０  ディスプレイ
【図１】
0004707558.tif 000004
【図２】
0004707558.tif 000005
【図３】
0004707558.tif 000006
【図４】
0004707558.tif 000007
【図５】
0004707558.tif 000008
【図６】
0004707558.tif 000009
【図７】
0004707558.tif 000010
【図８】
0004707558.tif 000011
【図９】
0004707558.tif 000012
【図１０】
0004707558.tif 000013
【図１１】
0004707558.tif 000014
【図１２】
0004707558.tif 000015